【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
植物材料から油を抽出する方法であって、前記方法は、
植物材料から油を抽出するシステムを提供する段階であって、前記システムは、（ａ）前記システム全体にガスストリームを行き渡らせるよう動作可能なガス移動デバイスと、（ｂ）前記ガスストリームが抽出室を通るよう方向付けられるように、前記ガス移動デバイスと連通する前記抽出室と、（ｃ）前記ガスストリームが凝縮面に方向付けられるように、前記ガス移動デバイスと連通する前記凝縮面とを含む、段階と、
前記抽出室に植物材料を提供する段階と、
前記抽出室を通って前記ガスストリームを行き渡らせて、前記植物材料を前記ガスストリーム内に混入する段階と、
油が前記植物材料から前記ガスストリーム内に抽出されるよう、前記ガスストリーム内に混入している前記植物材料から前記油を揮発させる段階と、
前記ガスストリームを前記凝縮面に接触させて、前記ガスストリームから前記油の一部を捕集して取り除く段階と、
前記凝縮面から前記油の前記一部を収集することにより、収集された油を生成する段階と、
を備える、方法。
【請求項２】
前記油の前記一部が流れることに対する抵抗より大きい重力の平行成分を発生させる角度および温度に前記凝縮面を維持する段階を更に備える、請求項１に記載の方法。
【請求項３】
前記凝縮面の角度を重力に対して約−９０°〜約６０°に維持する段階を備える方法であって、
０°未満〜約−９０°までの表面は天井であり、
０°の表面は重力に平行な壁であり、
０°より大きく９０°未満の表面は傾斜面である、
請求項２に記載の方法。
【請求項４】
前記凝縮面の角度を重力に対して約−４５°〜約４５°に維持する段階を備える、請求項３に記載の方法。
【請求項５】
前記凝縮面の温度を、約１００〜約３００°Ｆ（約３７．３３８〜約１４８．８８９℃）、約１１０〜約２８９°Ｆ（約４３．３３３〜約１４２．７７８℃）、約１２０〜約２８０°Ｆ（約４８．８８９〜約１３７．７７８℃）、約１２０〜約１５０°Ｆ（約４８．８８９〜約６５．５５６℃）、約２９０〜約３１４°Ｆ（約１４３．３３３〜約１５６．６６７℃）、約３１６〜約３５５°Ｆ（約１５７．７７８〜約１７９．４４４℃）、約３２０〜約３４０°Ｆ（約１６０．０００〜約１７１．１１１℃）、約３５７〜約３６４°Ｆ（約１８０．５５６〜約℃１８４．４４４）、又は約３６６〜約４２７°Ｆ（約１８５．５５６〜約２１９．４４４℃）に維持する段階を備える、請求項２から４のいずれか一項に記載の方法。
【請求項６】
前記凝縮面は、前記ガスストリームから前記油の前記一部を捕集および取り除くために十分な静電荷を含む、請求項１に記載の方法。
【請求項７】
前記揮発させる段階の後に前記油を含む前記ガスストリームを冷却する段階を更に備える、請求項１に記載の方法。
【請求項８】
前記油を含む前記ガスストリームを冷却する段階は、前記ガスストリームを約１００〜約３００°Ｆ（約３７．３３８〜約１４８．８８９℃）、約１１０〜約２８９°Ｆ（約４３．３３３〜約１４２．７７８℃）、約１２０〜約２８０°Ｆ（約４８．８８９〜約１３７．７７８℃）、約１２０〜約１５０°Ｆ（約４８．８８９〜約６５．５５６℃）、約２９０〜約３１４°Ｆ（約１４３．３３３〜約１５６．６６７℃）、約３１６〜約３５５°Ｆ（約１５７．７７８〜約１７９．４４４℃）、約３２０〜約３４０°Ｆ（約１６０．０００〜約１７１．１１１℃）、約３５７〜約３６４°Ｆ（約１８０．５５６〜約℃１８４．４４４）、又は約３６６〜約４２７°Ｆ（約１８５．５５６〜約２１９．４４４℃）まで冷却する段階を含む、請求項７に記載の方法。
【請求項９】
前記油を含む前記ガスストリームを冷却する段階は、前記ガスストリームを前記凝縮面の温度よりも少なくとも約５°Ｆ（−１５．０００℃）、１０°Ｆ（−１２．２２２℃）、１５°Ｆ（−９．４４４℃）、２０°Ｆ（−６．６６７℃）、２５°Ｆ（−３．８８９℃）、３０°Ｆ（−１．１１１℃）、３５°Ｆ（１．６６７℃）、４０°Ｆ（４．４４４℃）、４５°Ｆ（７．２２２℃）、又は５０°Ｆ（１０．０００℃）だけ低い温度まで冷却する段階を含む、請求項７または８に記載の方法。
【請求項１０】
前記油を含む前記ガスストリームを冷却する段階は、前記ガスストリームを前記凝縮面の温度よりも少なくとも約５°Ｆ（−１５．０００℃）、１０°Ｆ（−１２．２２２℃）、１５°Ｆ（−９．４４４℃）、２０°Ｆ（−６．６６７℃）、２５°Ｆ（−３．８８９℃）、３０°Ｆ（−１．１１１℃）、３５°Ｆ（１．６６７℃）、４０°Ｆ（４．４４４℃）、４５°Ｆ（７．２２２℃）、又は５０°Ｆ（１０．０００℃）だけ高い温度まで冷却する段階を含む、請求項７または８に記載の方法。
【請求項１１】
前記油を含む前記ガスストリームを冷却する段階は、前記凝縮面の温度とおよそ同一の温度である温度まで前記ガスストリームを冷却する段階を含む、請求項７または８に記載の方法。
【請求項１２】
前記凝縮面の温度を変更する段階を更に備える、請求項１から１１のいずれか一項に記載の方法。
【請求項１３】
前記凝縮面の温度を変更する段階は、前記凝縮面の温度を上げる段階を含み、前記温度が上がると前記油の一部が流れることに対する抵抗が低減する、又は、
前記凝縮面の温度を変更する段階は、前記凝縮面の温度を下げる段階を含み、前記温度が下がると前記油の一部が前記ガスストリームから捕集され取り除かれる速度が増加する、
のどちらか一方である、請求項１２に記載の方法。
【請求項１４】
前記油の一部の少なくとも１つの分子の沸点よりも高い温度まで前記ガスストリームを加熱する段階を更に備える、請求項１から１３のいずれか一項に記載の方法。
【請求項１５】
前記油の一部の少なくとも１つの分子の沸点よりも高い温度まで前記抽出室を加熱する段階を更に備える、請求項１から１４のいずれか一項に記載の方法。
【請求項１６】
前記沸点よりも高い温度は、約３１５°Ｆ（約１５７．２２２℃）、約３５６°Ｆ（約１８０．０００℃）、約４２８°Ｆ（約２２０．０００℃）である、請求項１４又は１５に記載の方法。
【請求項１７】
前記少なくとも１つの分子は、カンナビジオール（ＣＢＤ）、カンナビディバリン（ＣＢＤＶ）、カンナビゲロール（ＣＢＧ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、任意の他のカンナビノイド、リナロール、カリオフィレン、ミルセン、リモネン、フムレン、又はピネンを含む、請求項１４から１６のいずれか一項に記載の方法。
【請求項１８】
前記ガスストリーム、前記油の一部、又は前記収集された油は実質的に溶剤を含まない、請求項１から１７のいずれか一項に記載の方法。
【請求項１９】
前記ガスストリーム、前記油の一部、又は前記収集された油は溶剤を全く含まない、請求項１８に記載の方法。
【請求項２０】
前記ガスストリーム、前記油の一部、又は前記収集された油は実質的に、イソブタン、エタノール、又はクロロホルムを含まない、請求項１から１９のいずれか一項に記載の方法。
【請求項２１】
前記植物材料はヘンプ又はカンナビスを含む、請求項１から２０のいずれか一項に記載の方法。
【請求項２２】
前記油の一部および前記収集された油は、カンナビジオール（ＣＢＤ）、カンナビディバリン（ＣＢＤＶ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、任意の他のカンナビノイド、リナロール、カリオフィレン、ミルセン、リモネン、フムレン、ピネンのうちのいずれか、又は、２つ以上の組み合わせを含む、請求項１から２１のいずれか一項に記載の方法。
【請求項２３】
前記油の一部および前記収集された油はデルタ−９−テトラヒドロカンナビノール（ＴＨＣ）を含む、請求項２２に記載の方法。
【請求項２４】
前記油の一部および前記収集された油はカンナビジオール（ＣＢＤ）を含む、請求項２２に記載の方法。
【請求項２５】
前記凝縮面を含む遠心分離器を提供する段階を更に備え、
前記ガスストリームを前記凝縮面に接触させる段階は、前記ガスストリームを前記遠心分離器の前記凝縮面に接触させる段階を含む、
請求項１に記載の方法。
【手続補正２】
【補正対象書類名】明細書
【補正対象項目名】発明の名称
【補正方法】変更
【補正の内容】
【発明の名称】植物材料から油を抽出する方法